(57)【要約】      （修正有）【課題】レンズ鏡筒に２つの円環状の操作部材を配設して２通りの操作が使用者の意図通りに操作可能な操作部材を提供する。【解決手段】撮像装置の操作部材は、撮像装置本体に設けられたレンズ鏡筒１１０に対してレンズの光軸を中心に回動可能なリング状の部材であって、撮像装置本体に対して近い位置に設けられた第１の回転操作部材１１１と、撮像装置本体に対して第１の回転操作部材より遠い位置に設けられた第２の回転操作部材１１２を有し、第１の回転操作部材の操作を検出した際に、第２の回転操作部材の操作を所定時間無効とすることを特徴とする。【選択図】図１
2018106190.tif 000002
【特許請求の範囲】
【請求項１】
撮像装置本体に設けられたレンズ鏡筒に対してレンズの光軸を中心に回動可能なリング状の部材であって、
前記撮像装置本体に対して近い位置に設けられた第１の回転操作部材と、
前記撮像装置本体に対して前記第１の回転操作部材より遠い位置に設けられた第２の回転操作部材を有し、
前記第１の回転操作部材の操作を検出した際に、前記第２の回転操作部材の操作を所定時間無効とすることを特徴とする撮像装置の操作部材。
【請求項２】
撮像装置本体に設けられたレンズ鏡筒に対してレンズの光軸を中心に回動可能なリング状の部材であって、
前記撮像装置本体に対して近い位置に設けられた第１の回転操作部材と、
前記撮像装置本体に対して前記第１の回転操作部材より遠い位置に設けられた第２の回転操作部材を有し、
前記第１の回転操作部材の操作を検出した際に、前記第２の回転操作部材からの検出信号の所定のパルス数を読み飛ばすことを特徴とする撮像装置の操作部材。
【請求項３】
前記第１の回転操作部材の回動を検出する単位角度が、前記第２の回転操作部材の回動を検出する単位角度に比べて小さいことを特徴とする請求項１乃至２記載の撮像装置の操作部材。
【発明の詳細な説明】
【技術分野】
【０００１】
本発明は、被写体像を電気信号に光電変換する撮像素子を備えたデジタルカメラ、或いは、デジタルカメラ機能を搭載した電子機器等の撮像装置の操作部材に関するものである。
【背景技術】
【０００２】
従来から、レンズ鏡筒に対して回転自在に配設される１つあるいは２つの円環状の操作部材により２通りの操作が可能なカメラが提案されている。
【０００３】
例えば特許文献１のように、一眼レフカメラや一眼タイプのデジタルカメラ等に脱着可能な交換レンズの２つの円環状の操作部材が、レンズ鏡筒に対して光軸を中心に回転自在に配設されているものがある。一方が撮影画角を変更するための操作部材（ズームリング）、もう一方がピント調整のための操作部材（フォーカスリング）であるものが広く知られている。
【０００４】
また、特許文献２のように、レンズ鏡筒の外面に設けた２つのリングのうち、片方のリングをデータ入力用として用いるカメラが知られている。
【０００５】
また、１つの円環状の操作部材で２通りの操作を可能とする操作部材として、特許文献３にはレンズ鏡筒に対して回転自在に配設されるとともに、光軸方向にスライド自在に配設されたリング部材を設けた光学機器が開示されている。
【先行技術文献】
【特許文献】
【０００６】
【特許文献１】特開２００８−１０２２０７号公報
【特許文献２】特開２００１−２２３９２７号公報
【特許文献３】特開２０１３−７８３７号公報
【発明の概要】
【発明が解決しようとする課題】
【０００７】
しかしながら、特許文献１や特許文献２のようにレンズ鏡筒に２つの円環状の操作部材を配設して２通りの操作が可能な様に構成すると、操作部材の配置にスペースが必要となる。一眼タイプのデジタルカメラ等に用いる比較的大型の交換レンズにおいては、交換レンズ自体が大きいので２つの操作部材を十分に大きく構成したり、２つの操作部材同士を十分に離して配置出来るので操作上の問題は特にない。
【０００８】
しかし、小型化を重視したレンズ一体型のカメラや、スマートフォンなどの電子機器に搭載された小型のカメラのレンズ鏡筒に２つの円環状の操作部材を配設すると、スペースが十分にないため、それぞれの操作部材を小さく構成しなければならない。また、２つの操作部材同士を近接して配置することとなり、一方の操作部材を回動させようとした際に、もう一方の操作部材も同時に回動させてしまい、誤操作の原因になるという問題があった。
【０００９】
また、特許文献３のように１つの円環状の操作部材で２通りの操作が可能な様に構成すると、操作が煩雑となったり、行いたい操作をすぐに行えなかったりと、使い勝手が低下してしまうという問題があった。
【００１０】
そこで、本発明の目的は、レンズ鏡筒に２つの円環状の操作部材を配設して２通りの操作が可能であって、小型の構成においても２つの円環状の操作部材を使用者が意図通りに操作可能な様にする撮像装置の操作部材を提供することである。
【課題を解決するための手段】
【００１１】
上記目的を達成するために、本発明による撮像装置の操作部材は、撮像装置本体に設けられたレンズ鏡筒に対してレンズの光軸を中心に回動可能なリング状の部材であって、前記撮像装置本体に対して近い位置に設けられた第１の回転操作部材と、前記撮像装置本体に対して前記第１の回転操作部材より遠い位置に設けられた第２の回転操作部材を有し、前記第１の回転操作部材の操作を検出した際に、前記第２の回転操作部材の操作を所定時間無効とすることを特徴とするものである。
【００１２】
また、別の発明による撮像装置の操作部材は、撮像装置本体に設けられたレンズ鏡筒に対してレンズの光軸を中心に回動可能なリング状の部材であって、前記撮像装置本体に対して近い位置に設けられた第１の回転操作部材と、前記撮像装置本体に対して前記第１の回転操作部材より遠い位置に設けられた第２の回転操作部材を有し、前記第１の回転操作部材の操作を検出した際に、前記第２の回転操作部材からの検出信号の所定のパルス数を読み飛ばすことを特徴とするものである。
【００１３】
さらに別の発明による撮像装置の操作部材は、前記第１の回転操作部材の回動を検出する単位角度が、前記第２の回転操作部材の回動を検出する単位角度に比べて小さいことを特徴とするものである。
【発明の効果】
【００１４】
本発明によれば、レンズ鏡筒に２つの円環状の操作部材を配設して２通りの操作が可能な撮像装置において、小型の構成においても２つの円環状の操作部材を使用者の意図通りに操作可能な様にする撮像装置の操作部材を提供することが可能となる。
【図面の簡単な説明】
【００１５】
【図１】本発明における操作部材を搭載したデジタルカメラの外観斜視図である。
【図２】回転操作部材の回動を検知するための環状部材の斜視図である。
【図３】回動を検知する２つのフォトリフレクタからの出力の変化を示す図である。
【図４】回転操作部材の回動を検知する際の処理のフローチャートである。
【発明を実施するための形態】
【００１６】
以下、本発明を実施するための最良の形態について、添付図面に基づいて詳細に説明する。なお、以下の説明では、具体的な数値、構成、動作等を示して説明を行うが、これらは、適宜変更することができる。
【００１７】
＜第１の実施形態＞
図１（ａ）、（ｂ）はそれぞれ、本発明の第１の実施形態に係るデジタルカメラ１０１を前面、後面が見える角度から見た外観斜視図である。
【００１８】
本実施形態では、電子機器としてデジタルカメラ１０１を例にとり説明を行う。デジタルカメラ１０１は、撮像装置本体であるカメラ本体部１０７に、撮像動作を指示するレリーズボタン１０２、ズーム倍率操作を行うズームキー１０３、各種撮影モードを設定するモードダイヤル１０４、各種操作を行う操作ボタン１０６ａ〜１０６ｊを備える。１０６ｃは上下左右の４方向に操作が可能な操作ボタンである。１０６ｇはデジタルカメラ１０１の電源を入れたり電源を切ったりする際に操作する電源ボタンである。
【００１９】
デジタルカメラ１０１はまた、図１（ａ）中に図示されている撮影レンズ１０５を含む複数のレンズよりなる撮影レンズ群の各々の撮影レンズを所定の位置に保持するレンズ鏡筒１１０、撮影画像等種々の情報を表示するディスプレイ１０８を備える。デジタルカメラ１０１はさらに、外部機器と通信する不図示の端子を覆う端子カバー１０９等の部材を備える。
【００２０】
また、デジタルカメラ１０１には第１の回転操作部材１１１と第２の回転操作部材１１２を備えている。第１の回転操作部材１１１と第２の回転操作部材１１２とはレンズの光軸を中心として回転することが可能なリング状の部材である。
【００２１】
第１の回転操作部材１１１は、撮影レンズ１０５の光軸を中心としてＰ方向およびＱ方向（図１（ａ）に図示）に無制限に回動可能な様にレンズ鏡筒１１０に保持されている。第１の回転操作部材１１１は、第２の回転操作部材１１２と比較して光軸方向にカメラ本体部１０７に近い位置に保持されており、その径は第２の回転操作部材１１２と比べて同じか大きい。第１の回転操作部材１１１をＰ方向に回動させると、予め定められた一定の角度αだけ回動させる毎にＰ方向に回動したことを示す信号が出力され制御部（不図示）に伝達される。
【００２２】
また、第１の回転操作部材１１１をＱ方向に回動させると、予め定められた一定の単位角度α（Ｐ方向の場合と同じ角度である）だけ回動させる毎にＱ方向に回動したことを示す信号が出力され制御部に伝達される。即ち、例えば第１の回転操作部材１１１をＰ方向に角度３αだけ回動させると、Ｐ方向に回動したことを示す信号が３回出力され制御部に伝達される。制御部はＰ方向に回動したことを示す信号が出力された回数を数えることで、Ｐ方向に第１の回転操作部材１１１が回動した角度を判定することが出来る。同様に、制御部はＱ方向に回動したことを示す信号が出力された回数を数えることで、Ｑ方向に第１の回転操作部材１１１が回動した角度を判定することが出来る。そして、制御部は第１の回転操作部材１１１の回動した角度と回動した方向に応じて所定の処理を行う。処理の一例として本実施形態では、第１の回転操作部材１１１をＰ方向に回す角度に応じてより近くの対象に焦点が合う位置に撮影レンズ群が移動する様にレンズ鏡筒が制御部によって駆動される。一方、第１の回転操作部材１１１をＱ方向に回す角度に応じてより遠くの対象に焦点が合う位置に撮影レンズ群が移動する様にレンズ鏡筒が制御部によって駆動される。
【００２３】
一方、第２の回転操作部材１１２は第１の回転操作部材１１１と同様に撮影レンズの光軸を中心としてＰ方向およびＱ方向に無制限に回動可能な様にレンズ鏡筒に保持されている。第２の回転操作部材１１２は第１の回転操作部材１１１と比較して、光軸方向にカメラ本体部１０７と第１の回転操作部材１１１から遠い位置に保持されており、その径は第１の回転操作部材１１１と比べて同じか小さい。第２の回転操作部材１１２は、カメラ本体部１０７に対して第１の回転操作部材１１１が設けられているのと同じ側に並列に設けられている。第２の回転操作部材１１２をＰ方向に回動させると、予め定められた一定の角度βだけ回動させる毎にＰ方向に回動したことを示す信号が出力され制御部に伝達される。
【００２４】
また、第２の回転操作部材１１２をＱ方向に回動させると、予め定められた一定の角度βだけ回動させる毎にＱ方向に回動したことを示す信号が出力され制御部に伝達される。制御部はＰ方向に回動したことを示す信号が出力された回数を数えることで、Ｐ方向に第２の回転操作部材１１２が回動した角度を判定することが出来る。同様に、制御部はＱ方向に回動したことを示す信号が出力された回数を数えることで、Ｑ方向に第２の回転操作部材１１２が回動した角度を判定することが出来る。そして、制御部は第２の回転操作部材１１２の回動した角度と回動した方向に応じて所定の処理を行う。処理の一例として本実施形態では、第２の回転操作部材１１２をＰ方向に回す角度に応じて撮影動作時に記録される画像の明るさがより明るくなる様にデジタルカメラの設定が変更される。一方、回転操作部材１１２をＱ方向に回す角度に応じて撮影動作時に記録される画像の明るさがより暗くなる様にデジタルカメラの設定が変更される。
【００２５】
ここで、第１の回転操作部材１１１の回動を検出する方法について説明を行う。回転方向及び回転量の検出には、検出素子であるフォトリフレクタ（不図示）を２つ用いる。
【００２６】
図２は回転操作部材１１１の回動を検知するために設けられている環状部材１１３である。環状部材１１３は回転操作部材１１１の回動時に一体的に回動する様に回転操作部材１１１に対して不図示の固定手段により固定された部材である。環状部材１１３は鉄素材等の反射率の高い部材で構成されている。環状部材１１３には光軸と直交する面１１４が設けられており、面１１４上には光軸を中心とした円上に一定の間隔をおいて周期的に黒塗り部１１５が設けられている。また、２つのフォトリフレクタは面１１４と一定の距離をもって面１１４と平行で、黒塗り部１１５が配置されている円と同一中心、略同半径の円上にそれぞれ配置されている。フォトリフレクタは自身から射出した光線が他の物体に反射した反射光を受光し、その強度により信号を生成する素子であり、フォトリフレクタは光線を環状部材１１３の面１１４に向けて射出する様に配置されている。
【００２７】
フォトリフレクタから出た光線が黒塗り部１１５に当たると反射光が弱いので、フォトリフレクタが黒塗り部１１５に対向している場合は、フォトリフレクタの出力信号はＬｏｗとなる。一方で、フォトリフレクタから出た光線が環状部材１１３の黒塗り部１１５でない箇所に当たると環状部材１１３は反射率の高い部材で構成されているので、反射光が強くなる。従って、フォトリフレクタが環状部材１１３の黒塗り部１１５でない箇所に対向している場合は、フォトリフレクタの出力信号はＨｉｇｈとなる。フォトリフレクタからの信号はフレキシブル基板等の不図示の信号伝達手段により制御部に伝達される。
【００２８】
図３は、環状部材１１３の回動にともなって黒塗り部１１５が移動することによる、２つのフォトリフレクタ（ａ、ｂ）からの出力の変化を示す図である。図中のＬはＬｏｗ、ＨはＨｉｇｈを表している。回転の向きを検出するために、一方の出力信号はもう一方に対して、１／４周期ずれるようにフォトリフレクタを配置している。
【００２９】
デジタルカメラ１０１では前述した単位角度αだけ環状部材１１３即ち回転操作部材１１１が回転すると、２つのフォトインタラプタからの出力が（Ｌ，Ｌ）、（Ｈ，Ｌ）、（Ｈ，Ｈ）、（Ｌ，Ｈ）、（Ｌ，Ｌ）と一巡する様に黒塗り部は設けられている。２つのフォトインタラプタからの出力が（Ｌ，Ｌ）で始まって（Ｈ，Ｌ）、（Ｈ，Ｈ）、（Ｌ，Ｈ）、（Ｌ，Ｌ）と変化すると単位角度αだけ環状部材１１３即ち回転操作部材１１１が回動したと判定される。逆に、（Ｌ，Ｌ）で始まって（Ｌ，Ｈ）、（Ｈ，Ｈ）、（Ｈ，Ｌ）、（Ｌ，Ｌ）と一巡すると、逆方向に単位角度αだけ回動したと判定される。この構成により、回転した角度と回転方向を検出することができる。
【００３０】
第２の回転操作部材１１２も第１の回転操作部材１１１と同様の方法により、回動が検知される。回転操作部材１１２の場合は、前述した単位角度βだけ回転操作部材１１２が回転すると、回転操作部材１１２の回転検知用の２つのフォトインタラプタ（不図示）からの出力が（Ｌ，Ｌ）、（Ｈ，Ｌ）、（Ｈ，Ｈ）、（Ｌ，Ｈ）、（Ｌ，Ｌ）と一巡する様に黒塗り部は設けられている。回転操作部材１１２回転検知用の２つのフォトインタラプタからの出力が（Ｌ，Ｌ）で始まって（Ｈ，Ｌ）、（Ｈ，Ｈ）、（Ｌ，Ｈ）、（Ｌ，Ｌ）と変化すると単位角度βだけ回転操作部材１１２が回動したと判定される。
【００３１】
単位角度α及びβは黒塗り部を設ける間隔を変更することにより適宜変更出来る。また、本実施形態のように環状部材１１３を設けず、回転操作部材１１１、１１２の内側の面に暗／明を黒塗り等で塗り分け、フォトリフレクタを回転操作部材１１１、１１２の内側の面に向けて配置することによって反射光を検出する方法でも良い。
【００３２】
ここで、この様に構成された第１の回転操作部材１１１と第２の回転操作部材１１２をデジタルカメラの１０１の使用者が操作するときの問題点について説明する。
【００３３】
第２の回転操作部材１１２を最初に操作する場合、次に、第１の回転操作部材１１１を最初に操作する場合について説明する。第２の回転操作部材１１２を回動させるときに、なるべく第１の回転操作部材１１１に触れない様に第２の回転操作部材１１２のレンズ鏡筒１１０の先端側を操作する様にすれば、意図せずに第１の回転操作部材１１１を回動させてしまうということはない。一方、第１の回転操作部材１１１を操作する場合は、なるべく第２の回転操作部材１１２に触れない様に第１の回転操作部材１１１のレンズ鏡筒１１０の根元側を操作する様にしようとしてもカメラ本体部１０７が障害となるので限度がある。従って、慎重に操作すれば第１の回転操作部材１１１のみを回動させることが可能であるが、場合によっては指が第２の回転操作部材１１２に触れてしまう。すると、第１の回転操作部材１１１を回動させようとしたのにも関わらず、第２の回転操作部材１１２も一緒に回動させてしまうということが起こり得る。そうすると、デジタルカメラ１０１の使用者は焦点が合う位置を変更したいだけにも関わらず、意図せず撮影動作時に記録される画像の明るさまでもが変更されてしまうということが起こり得る。
【００３４】
この問題は、使用者の手指が大きい、第１の回転操作部材１１１と第２の回転操作部材１１２の光軸方向の幅が狭い、或いは、第１の回転操作部材１１１と第２の回転操作部材１１２の光軸方向の距離が近いとより顕著となる。しかし、デジタルカメラ１０１の小型化のために、第１の回転操作部材１１１と第２の回転操作部材１１２の光軸方向の幅は狭く設定したく、また、第１の回転操作部材１１１と第２の回転操作部材１１２との距離も近く配置したいという要求がある。
【００３５】
本発明は上記の様な問題を解決するために、第１の回転操作部材１１１と第２の回転操作部材１１２の回動検知した際に、以下に説明する処理を行っている。
【００３６】
図４はデジタルカメラ１０１の図示しない制御部が第１の回転操作部材１１１と第２の回転操作部材１１２の回動を検出した際の処理を示すフローチャートである。
【００３７】
先ず、第１の回転操作部材１１１が回動しているかどうかを判定する（Ｓ１０１）。Ｓ１０１にて第１の回転操作部材１１１が回動していると判定されると、ステップＳ１０２にてタイマー値Ｔに所定の値Ｎを設定する。尚、タイマー値Ｔは回転操作部材の回動を検知する処理の開始の際には０の値となっている。値Ｎは第１の回転操作部材１１１の回動を検知した後、第２の回転操作部材１１２の回動の検知をどれだけの時間無効とするかを規定する値であり、正の整数である。この値Ｎが大きい程、第１の回転操作部材１１１の回動を検知した後、第２の回転操作部材１１２の回動の検知が無効化される時間が長い。
【００３８】
その後、第１の回転操作部材１１１の回動方向がＰ方向かどうかを判定する（Ｓ１０３）。回動方向がＰ方向であると判定されると、第１の回転操作部材１１１の回動角度に応じてより近くの対象に焦点が合う位置に撮影レンズ群を移動し（Ｓ１０４）、ステップＳ１０１に戻る。一方で、ステップＳ１０３にて回動方向がＰ方向でないと判定されると、第１の回転操作部材１１１の回動方向はＱ方向であるので、第１の回転操作部材１１１の回動角度に応じてより遠くの対象に焦点が合う位置に撮影レンズ群を移動し（Ｓ１０５）、ステップＳ１０１に戻る。
【００３９】
ステップＳ１０１にて第１の回転操作部材１１１が回動していないと判定されると、ステップＳ１０６にてタイマー値Ｔをデクリメントして得た値（Ｔ−１）を新たなタイマー値Ｔとして設定する。次に、ステップＳ１０７にてタイマー値Ｔが０以下かどうかを判定する。ステップＳ１０７にてタイマー値Ｔが０以下になっていないと判定される（Ｓ１０７にてＮ）と、ステップＳ１０１に戻る。ステップＳ１０７にてタイマー値Ｔが０以下になっていると判定される（Ｓ１０７にてＹ）と、ステップＳ１０８にて第２の回転操作部材１１２が回動しているかどうかを判定する。ステップＳ１０８にて第２の回転操作部材１１２が回動していると判定されると、第２の回転操作部材１１２の回動方向がＰ方向かどうかを判定する（Ｓ１０９）。回動方向がＰ方向であると判定されると、第２の回転操作部材１１２の回動角度に応じて撮影動作時に記録される画像の明るさがより明るくなる様にデジタルカメラの設定を変更し（Ｓ１１０）、ステップＳ１０１に戻る。一方で、ステップＳ１０９にて回動方向がＰ方向でないと判定されると、第２の回転操作部材１１２の回動方向はＱ方向であるので、第２の回転操作部材１１２の回動角度に応じて撮影動作時に記録される画像の明るさがより暗くなる様にデジタルカメラの設定を変更し（Ｓ１１１）、ステップＳ１０１に戻る。ステップＳ１０８にて第２の回転操作部材１１２が回動していないと判定されると、ステップＳ１０１に戻る。
【００４０】
本発明によるデジタルカメラ１０１は第１の回転操作部材１１１と第２の回転操作部材１１２の回動検出した際に上記の様な処理を行っている。第１の回転操作部材１１１の回動を検知した場合は、一定の時間の間は第２の回転操作部材１１２の回動検知判定（Ｓ１０８）を行わない。従って、第１の回転操作部材１１１をデジタルカメラ１０１の使用者が回動させる際に意図せずに第２の回転操作部材１１２も回動してしまっても、第２の回転操作部材１１２の回動に基づく動作をデジタルカメラ１０１は行わない。そのため、デジタルカメラ１０１の使用者が意図しない様な動作をデジタルカメラ１０１は行わない。
【００４１】
上記の説明では、第２の回転操作部材１１２の回動を検知しても所定時間無効としたが、時間ではなく、第２の回転操作部材１１２からの検出信号の１パルス目を読み飛ばす、もしくは所定のパルス数を読み飛ばすようにして、検知をずらすようにしても良い。
【００４２】
また、第１の回転操作部材１１１を回動させると、予め定められた一定の角度αだけ回動させる毎に回動したことを示す信号が出力され制御部に伝達される。第２の回転操作部材１１２を回動させると、予め定められた一定の角度βだけ回動させる毎に回動したことを示す信号が出力される。この角度αと角度βはα＜βという関係となっている。この様な関係となっているので、第１の回転操作部材１１１と第２の回転操作部材１１２が同時に回動してしまっても、第１の回転操作部材１１１の回動の方が先に検出されることとなり、第２の回転操作部材１１２の回動の検知を無効化することが出来る。
【００４３】
また、本実施形態では第１の回転操作部材１１１と第２の回転操作部材１１２を回動させた時の操作感は各々異なる様に構成されている。より具体的には、第１の回転操作部材１１１を回動させた場合は手を離した際に単位角度α毎の角度に引き込まれる様にクリック機構が設けられており、第２の回転操作部材１１２はクリック機構が設けられていない。この様に構成すると、使用者がどちらの回転操作部材を操作しているかを触覚にても判断することが出来、操作性が向上する。また、第１の回転操作部材１１１が引き込まれるクリック位置を前述した２つのフォトリフレクタからの出力が回動検知の開始組み合わせである（Ｌ，Ｌ）となる位置にすれば、第１の回転操作部材１１１をαだけ回動させれば１単位角度だけ回動したと判定される。一方で、第２の回転操作部材１１２はクリック機構がないため、回転させた場合に（Ｌ，Ｌ）、（Ｈ，Ｌ）、（Ｈ，Ｈ）、（Ｌ，Ｈ）のどの信号状態から回転が開始されるかは不定であるので、第１の回転操作部材１１１をβ＋γだけ回動させないと１単位角度だけ回動したと判定されない。ここで０≦γ＜βである。従って、α＜βの関係となっていれば、第１の回転操作部材１１１と第２の回転操作部材１１２が同時に回動してしまっても、第１の回転操作部材１１１の回動の方が先に検出されることとなり、第２の回転操作部材１１２の回動の検知を無効化することが出来る。
【００４４】
＜他の実施形態＞
第２の回転操作部材１１２の回動による最初の単位角度回動判定を無効として扱うという構成としても勿論良い。そうすれば、第１の回転操作部材１１１と第２の回転操作部材１１２が同時に回動してしまっても、第１の回転操作部材１１１の回動の方が先に検出されることとなる。
【００４５】
また、第１の回転操作部材１１１と第２の回転操作部材１１２が逆方向に回動していると検知された場合は、それぞれの回動に応じて所定の処理を行う構成としても良い。第１の回転操作部材１１１と第２の回転操作部材１１２とがそれぞれ逆方向に回動している場合は、使用者が意図してその様に操作しているからである。
【００４６】
また、第１の実施形態においては、第１の回転操作部材１１１がレンズ群の焦点位置を調整するための操作部材であり、第２の回転操作部材１１２が撮影動作時に記録される画像の明るさを調整するための操作部材であるとして説明を行った。しかし、第１の回転操作部材１１１と第２の回転操作部材１１２はそれ以外の調整、例えば、ＩＳＯ感度の調整、絞り値の調整等のための操作部材であっても勿論良い。
【００４７】
クリック感のある方の回転操作部材をステップ状に変化する項目の設定に使用し、クリック感の無い方の回転操作部材を無段階に変化する項目の設定に使用すると、使用者が使用する際に自然な操作感を実現することが出来る。ステップ状に変化する項目としては、例えば特定の焦点距離を階段状に選択するステップズームの設定が挙げられる。無段階に変化する項目としては、例えばピント合わせが挙げられる。
【００４８】
また、デジタルカメラにて動画を撮影する場合は、クリック感のある方の回転操作部材を撮影前に変更する項目の設定に使用し、クリック感の無い方の回転操作部材を撮影中に変更する項目の設定に使用すると良い。動画撮影の撮影前に変更する項目としては、例えば撮影する動画の解像度が挙げられる。撮影中に変更する項目としては、例えば焦点距離の変更が挙げられる。クリック機構が設けられている方の回転操作部材を動画撮影の撮影中に回動させるとクリック音が発生し動画にそのクリック音が録音されてしまうためである。
【００４９】
前述ではクリックの有る無しを説明したが、クリック機構がなくても、例えば第１の回転操作部材の回転抵抗を大きくし、第２の回転操作部材の回転抵抗を小さくすることで対応しても良い。
【００５０】
第１の実施形態のように、クリック感の有る無しに関わらないような構成が取れる場合（第２の操作部材を所定時間無効にするなど）は、二つの回転操作部材の両方にクリック感がある様に構成しても良いし、二つの回転操作部材の両方にクリック感がない様に構成しても良い。
【００５１】
第１の実施形態に置いては、フォトリフレクタを用いて回動を検知する構成を例にとり説明を行ったが、フォトインタラプタ等の他の検出手段を用いても勿論良い。
【００５２】
なお、上記の実施形態は、いずれも本発明を実施するに当たっての具体化の例を示したものに過ぎず、これらによって本発明の技術範囲が限定的に解釈されてはならない。本発明はその技術思想又はその主要な特徴から逸脱することなく、様々な形で実施することが可能である。
【符号の説明】
【００５３】
１０１  デジタルカメラ
１０５  レンズ
１０７  カメラ本体部
１１０  レンズ鏡筒
１１１  第１の回転操作部材
１１２  第２の回転操作部材
【図１】
2018106190.tif 000003
【図２】
2018106190.tif 000004
【図３】
2018106190.tif 000005
【図４】
2018106190.tif 000006